(57)【要約】      （修正有）【課題】安全で、効率的であって、長期間使用のできるエアロゾル火災鎮火装置用の始動装置を提供する。【解決手段】圧電式始動電源ユニット１および点火ヘッド５を含む、エアロゾル火災鎮火装置用の始動装置が提供される。圧電式始動電源ユニットは、始動スイッチ２、衝撃ブロック３および圧電性結晶４を含む。本発明における始動装置は、構造が簡単で、設置が容易であるという利点があり、有効期間は通常の化学バッテリを電源として使用する始動装置の有効期間よりもはるかにいい。【選択図】図１
0003187658.tif 000002
【実用新案登録請求の範囲】
【請求項１】
圧電式始動電源ユニット（１）および点火ヘッド（５）を含むことを特徴とする、エアロゾル火災鎮火装置用の始動装置。
【請求項２】
圧電式始動電源ユニット（１）が、始動スイッチ（２）、ストライクピース（３）および圧電性結晶（４）を含み、該圧電性結晶（４）の入力端および出力端が、点火ヘッド（５）の２本の電線に接続されており、これらの２本の電線には重ね継手がないことを特徴とする、請求項１に記載のエアロゾル火災鎮火装置用の始動装置。
【請求項３】
点火ヘッド（５）が、電橋線のない点火ヘッドであることを特徴とする、請求項１に記載のエアロゾル火災鎮火装置用の始動装置。
【請求項４】
点火ヘッドが、ノブ型またはキー型として形成されていることを特徴とする、請求項１に記載のエアロゾル火災鎮火装置用の始動装置。
【考案の詳細な説明】
【技術分野】
【０００１】
本発明は、火災鎮火装置の技術分野に属し、エアロゾル火災鎮火装置用の始動装置に関する。
【背景技術】
【０００２】
火災対策の技術分野において、すべての火災鎮火装置には、安全で効率的な始動手法を選択することを伴う。エアロゾル火災鎮火装置においては、通常、電力供給にはバッテリが電気点火ヘッドとして使用されるが、それはすなわち、バッテリの電源を手動でオンにすることによって点火薬が点火され、それによって、火災鎮火装置は、始動される。火災鎮火装置のすべてが、ほとんどの時間、「待機」状態にあることから、このようなバッテリ式電気始動手法の主要な欠点は、有効時間にある。通常、火災鎮火装置の全部品は、６年間保存後の実用に対する要件を満たさなくてはならない。しかし、バッテリのエネルギーは、時間の経過とともに減衰して、火災鎮火装置を使用すべきときに、火災鎮火装置を確実に始動させるのに十分ではなくなる可能性がある。
【０００３】
エアロゾル火災鎮火装置の従来技術においては、「エアロゾル火災鎮火装置用の電気点火始動装置」が、中国特許出願第ＣＮ２３３９２４８Ｙによって開示されている。この始動装置は、ＤＣ反転ブースタ回路、高電圧整流回路、およびエネルギー貯蔵回路、ならびにエネルギー貯蔵キャパシタと電気点火ヘッドの間に直列で接続された電子遅延スイッチを含む。しかしながら、この技術方式の欠点は、始動中の電力に関係する問題は、容量性エネルギー貯蔵回路によって部分的に解消されるが、複雑な回路、多数のアクセサリ、低い信頼性などの欠点にある。電子式粉末火災消火器が、中国特許出願第ＣＮ２２３９８２８Ｙに開示されている。この電子乾燥粉末消火器は、圧電式点火システムを使用するが、点火ヘッドは、点火後に引き抜いて外に出さなければならない。したがって、この電子乾燥粉末消火器は、スロー式（throw-type）またはショット式（shot-type）の乾燥粉末消火器の構造設計にのみ適用可能である。現在まで、上述のバッテリ式駆動手法を除いて、その他のエアロゾル火災鎮火装置用の駆動手法はまだ報告されていない。
【考案の概要】
【０００４】
従来技術における現状を考慮して、本発明の目的は、安全で、効率的であって、長期間使用のできるエアロゾル火災鎮火装置用の始動装置を提供することである。エアロゾル火災鎮火装置用の始動装置の技術的解決策を以下に説明する。
圧電式始動電源ユニットおよび点火ヘッドを含む、エアロゾル火災鎮火装置用の始動装置。
【０００５】
さらに、前記圧電式始動電源ユニットは、始動スイッチ、ストライクピースおよび圧電性結晶を含み、圧電性結晶の入力端および出力端が点火ヘッドの２本の電線に接続されており、これらの２本の電線には重ね継手（lap joint）がない。
さらに、前記点火ヘッドは、電橋線（bridge wire）のない点火ヘッドである。
さらに、前記点火ヘッドは、ノブ型またはキー型として形成されている。
【０００６】
従来技術におけるものと比較すると、本発明における始動装置に基づく能動的始動手法を使用するエアロゾル火災鎮火装置は、以下の長所がある。すなわち、始動装置は、使用上の柔軟性があり、設置が容易であって；その要素は、構造的に簡単で寸法が小型で省スペースであって；始動装置は、様々なエアロゾル火災鎮火装置に適用可能であり、さらに、始動装置は、優れた保存寿命と耐干渉性を有し、環境温度、湿気および電磁干渉の影響を受けず、有効期間は、通常の化学バッテリの使用寿命よりもはるかに長く；さらに、１５年間での圧電セラミックでの電圧損失は１５％以下である。
【０００７】
本発明におけるエアロゾル火災鎮火装置用の始動装置は、ホットエアロゾル火災鎮火装置およびコールドエアロゾル火災鎮火装置の両方を始動させるのに使用することができる。
本発明におけるエアロゾル火災鎮火装置用の始動装置について、上述の本発明の長所がより明確に理解されるように、添付の図面を参照して、さらに詳細に説明する。
【図面の簡単な説明】
【０００８】
【図１】図１は、本発明におけるエアロゾル火災鎮火装置用の始動装置の概略構造図である。
【０００９】
実施態様の詳細な説明
本発明の態様を、図面を参照してさらに詳細に説明する。
図１は、本発明におけるエアロゾル火災鎮火装置用の始動装置の概略構造図である。図１に示すように、本装置は、始動スイッチ２、ストライクピース３、圧電性結晶４および点火ヘッド５を含む。この例においては、点火ヘッド５は、電橋線のない点火ヘッドであり、圧電性結晶４の入力端および出力端は点火ヘッド５の２本の電線に接続されており、この２本の電線には重ね継手がない。
【００１０】
本装置を使用するときには、オペレータは、圧電式始動電源ユニット１上の始動スイッチ２を押して、それによって始動スイッチ２が引き金作用をして、ストライクピース３が圧電性結晶４に突き当たる。それによって、電橋線のない点火ヘッド５が点火されて、次いで、点火ヘッド５がエアロゾル発生剤に点火する。すなわち、エアロゾル火災鎮火装置が始動されて火災を鎮火する。
【００１１】
勿論のこと、始動スイッチはノブ型にしてもよい。オペレータが装置のスイッチをオンにすると、始動スイッチ２を回すことが可能となり、それによって始動スイッチ２が引き金作用をして、ストライクピース３が圧電性結晶４に突き当たる。それによって、電橋線のない点火ヘッド５が始動され、次いで、点火ヘッド５がエアロゾル発生剤に点火する。すなわち、エアロゾル火災鎮火装置が始動されて、火災を鎮火する。
【００１２】
本発明の上記の教示に基づいて、当業者は、本発明の趣旨から逸脱することなく、前記態様に修正または変更を容易に加えることができるが、これらのすべての修正または変更は、本発明の保護の範囲に含まれるものと考えるべきである。上記の説明は、本発明の目的を詳述して説明するためにのみ提示されるものであり、本発明に対するいかなる限定をも構成するものではないことを、当業者は認識すべきである。本発明の保護の範囲は、特許請求の範囲とその均等物によってのみ限定されるものとする。
【図１】
0003187658.tif 000003
【手続補正書】
【提出日】平成25年10月15日(2013.10.15)
【手続補正１】
【補正対象書類名】実用新案登録請求の範囲
【補正対象項目名】全文
【補正方法】変更
【補正の内容】
【実用新案登録請求の範囲】
【請求項１】
圧電式始動電源ユニット（１）および点火ヘッド（５）を含むことを特徴とする、エアロゾル火災鎮火装置用の始動装置であって、
圧電式始動電源ユニット（１）が、始動スイッチ（２）、ストライクピース（３）および圧電性結晶（４）を含み、該圧電性結晶（４）の入力端および出力端が、点火ヘッド（５）の２本の電線に接続されており、これらの２本の電線には重ね継手がないことを特徴とする、前記エアロゾル火災鎮火装置用の始動装置。
【請求項２】
点火ヘッド（５）が、電橋線のない点火ヘッドであることを特徴とする、請求項１に記載のエアロゾル火災鎮火装置用の始動装置。
【請求項３】
点火ヘッドが、ノブ型またはキー型として形成されていることを特徴とする、請求項１に記載のエアロゾル火災鎮火装置用の始動装置。